(57)【要約】【課題】本発明は、電動スクーターの制御方法及び電動スクーターを提供する。【解決手段】該方法は、目標アカウントを使用して電動スクーターをロック解除する場合に、電動スクーターに対して実行される第１の目標操作を検出することと、第１の目標操作に応答して、電動スクーターを、第１の目標操作を検出してから目標時間長さ内に目標アカウントにしかロック解除されることを許さない一時的ロック状態に設定することと、電動スクーターに対して実行される、目標アカウントを使用して電動スクーターをロック解除するように指示する第２の目標操作を目標時間長さ内に検出した場合に、一時的ロック状態にある電動スクーターをロック解除することとを含む。本発明によれば、関連技術における電動スクーターの制御方法に存在する、電動スクーターが一時的に使用停止する場合に他人に使用されやすいという問題を解決する。【選択図】図１
2020090274.tif 000002
【特許請求の範囲】
【請求項１】
目標アカウントを使用して電動スクーターをロック解除する場合に、電動スクーターに対して実行される第１の目標操作を検出することと、
前記第１の目標操作に応答して、前記電動スクーターを、前記第１の目標操作を検出してから目標時間長さ内に前記目標アカウントにしかロック解除されることを許さない一時的ロック状態に設定することと、
前記電動スクーターに対して実行される、前記目標アカウントを使用して前記電動スクーターをロック解除することを指示する第２の目標操作を前記目標時間長さ内に検出した場合に、前記一時的ロック状態にある前記電動スクーターをロック解除することとを含む、ことを特徴とする電動スクーターの制御方法。
【請求項２】
前記電動スクーターに対して実行される前記第１の目標操作を検出することは、
前記電動スクーターを前記一時的ロック状態に設定することをトリガする前記電動スクーターにおける一時停止ボタンに対して実行される押し操作を検出すること、
前記電動スクーターのハンドルに対して実行される、折り畳み操作、収縮操作、押下操作のうちの少なくとも１つを含む第１の操作を検出することのうちの少なくとも１つを含む、ことを特徴とする請求項１に記載の方法。
【請求項３】
前記電動スクーターに対して実行される前記第２の目標操作を検出することは、
前記電動スクーターに対して実行される第１の入力操作であって、前記目標アカウントを使用して前記一時的ロック状態にある前記電動スクーターをロック解除することを示す第１の入力操作を、前記ターゲット時間内に検出することを含む、ことを特徴とする請求項１に記載の方法。
【請求項４】
前記電動スクーターに対して実行される前記第２の目標操作を検出することは、
前記電動スクーターのハンドルに対して実行される、展開操作、引っ張り操作、持ち上げ操作のうちの少なくとも１つを含む第２の操作を検出することをさらに含む、ことを特徴とする請求項３に記載の方法。
【請求項５】
前記電動スクーターを前記一時的ロック状態に設定した後、前記方法は、
前記電動スクーターが前記一時的ロック状態にある場合に、前記目標アカウントに関連する第１のリソースアカウントにおける移転対象のリソースであって、前記電動スクーターに関連する第２のリソースアカウントに移転されるべきリソースである移転対象のリソースを指示する第１のリソース移転情報を決定することをさらに含む、ことを特徴とする請求項１に記載の方法。
【請求項６】
前記第１のリソース移転情報を決定することは、
前記第１のリソース移転情報を、前記移転対象のリソースが現在時刻と、前記電動スクーターを前記一時的ロック状態に設定する時刻である第１の時刻との間の第１の時間間隔である第１の時間長さに正相関する第１のリソースであることを指示する第１の目標情報として決定することを含む、ことを特徴とする請求項５に記載の方法。
【請求項７】
前記電動スクーターを前記一時的ロック状態に設定した後、前記方法は、
前記電動スクーターに対して実行される前記第２の目標操作を前記目標時間長さ内に検出しない場合に、前記目標アカウントによる前記電動スクーターの使用を終了することをさらに含む、ことを特徴とする請求項１に記載の方法。
【請求項８】
前記目標アカウントによる前記電動スクーターの使用を終了した後、前記方法は、
前記目標アカウントに関連する第１のリソースアカウントにおける、前記目標時間長さに対応する第２のリソースを含む第１の目標リソースを前記電動スクーターに関連する第２のリソースアカウントに移転することをさらに含む、ことを特徴とする請求項７に記載の方法。
【請求項９】
前記一時的ロック状態にある前記電動スクーターをロック解除した後、前記方法は、
前記電動スクーターに対して実行される、前記目標アカウントが前記電動スクーターの使用を終了することを示す第３の目標操作を検出することをさらに含む、ことを特徴とする請求項１に記載の方法。
【請求項１０】
前記電動スクーターに対して実行される前記第３の目標操作を検出することは、
前記電動スクーターのハンドルバーに対して実行される、折り畳み操作、収縮操作のうちの少なくとも１つを含む第３の操作を検出することを含む、ことを特徴とする請求項９に記載の方法。
【請求項１１】
前記電動スクーターに対して実行される前記第３の目標操作を検出した後、前記方法は、
前記目標アカウントに関連する第１のリソースアカウントにおける、前記目標アカウントを使用して電動スクーターをロック解除する時刻である第２の時刻と、前記電動スクーターに対して実行される前記第３の目標操作を検出する時刻である第３の時刻との間の第２の時間間隔内に前記電動スクーターが前記一時的ロック状態にある総時間長さである第２の時間長さに正相関する第３のリソースを含む第２の目標リソースを前記電動スクーターに関連する第２のリソースアカウントに移転することをさらに含む、ことを特徴とする請求項９に記載の方法。
【請求項１２】
前記電動スクーターに対して実行される前記第３の目標操作を検出した後、前記方法は、
前記第３の目標操作を検出してから所定時間長さ内に、前記電動スクーターが倒れた状態にあることを検出することと、
前記目標アカウントに関連する第１のリソースアカウントにおける、検出された前記倒れた状態に対応する第４のリソースを含む第３の目標リソースを前記電動スクーターに関連する第２のリソースアカウントに移転することとをさらに含む、ことを特徴とする請求項９に記載の方法。
【請求項１３】
前記電動スクーターに対して実行される前記第１の目標操作を検出する前に、前記方法は、
前記電動スクーターに対して実行される、前記目標アカウントを使用して電動スクーターをロック解除することを示す第２の入力操作であって、前記ターゲットアカウントに対応するターゲット生体特徴情報の第２の入力操作を検出することと、
前記第２の入力操作に応答して、前記目標アカウントを使用して前記電動スクーターをロック解除することとをさらに含む、ことを特徴とする請求項１〜１２のいずれか１項に記載の方法。
【請求項１４】
電動スクーターであって、
目標アカウントを使用して前記電動スクーターをロック解除する場合に、前記電動スクーターに対して実行される第１の目標操作を検出する第１の検出モジュールと、
前記第１の目標操作に応答して、前記電動スクーターを、前記第１の目標操作を検出してから目標時間長さ内に前記目標アカウントにしかロック解除されることを許さない一時的ロック状態に設定する設定モジュールと、
前記電動スクーターに対して実行される、前記目標アカウントを使用して前記電動スクーターをロック解除するように指示する第２の目標操作を前記目標時間長さ内に検出した場合に、前記一時的ロック状態にある前記電動スクーターをロック解除するロック解除モジュールとを含む、ことを特徴とする電動スクーター。
【請求項１５】
実行時に請求項１〜１３のいずれか１項に記載の方法を実行するように構成されるコンピュータプログラムが記憶されている、ことを特徴とする記憶媒体。
【発明の詳細な説明】
【技術分野】
【０００１】
本発明は、通信の分野に関し、具体的には、電動スクーターの制御方法及び電動スクーターに関する。
【背景技術】
【０００２】
関連技術において、シェア電動スクーターを使用するとき、ユーザが用事を処理するにしばらく（例えば、数分間）逗留して、この期間後に該電動スクーターを使用し続ける場合に、ユーザは、まず電動スクーターをロックして、これまでの行程を終了する必要があり、用事の処理が完了した後、該電動スクーターを起動して、新たな行程を開始する。
しかしながら、これまでの行程の終了から新たな行程の開始までの期間に、該電動スクーターは、別のユーザにより起動され、かつ使用される可能性があり、近傍に他の利用可能な電動スクーターがないと、ユーザは新たな行程を開始できない。該電動スクーターをロックしないと、該電動スクーターは、他のユーザに乗って行かれ、一定の経済的損失をもたらす可能性がある。同時に、近傍に他の利用可能な電動スクーターがないと、ユーザは、新たな行程を開始できない。
このことから分かるように、関連技術における電動スクーターの制御方法には、電動スクーターが一時的に使用停止する場合に他人に使用されやすいという問題が存在する。
【発明の概要】
【発明が解決しようとする課題】
【０００３】
本発明の実施例は、関連技術における電動スクーターの制御方法に存在する、電動スクーターが一時的に使用停止する場合に他人に使用されやすいという問題を少なくとも解決する電動スクーターの制御方法及び電動スクーターを提供する。
【課題を解決するための手段】
【０００４】
本発明の１つの実施例によれば、目標アカウントを使用して電動スクーターをロック解除する場合に、電動スクーターに対して実行される第１の目標操作を検出することと、第１の目標操作に応答して、電動スクーターを、第１の目標操作を検出してから目標時間長さ内に目標アカウントにしかロック解除されることを許さない一時的ロック状態に設定することと、電動スクーターに対して実行される、目標アカウントを使用して電動スクーターをロック解除するように指示する第２の目標操作を目標時間長さ内に検出した場合に、一時的ロック状態にある電動スクーターをロック解除することとを含む、電動スクーターの制御方法を提供する。
【０００５】
好ましくは、電動スクーターに対して実行される第１の目標操作を検出することは、電動スクーターを一時的ロック状態に設定することをトリガする電動スクーターにおける一時停止ボタンに対して実行される押し操作を検出すること、電動スクーターのハンドルに対して実行される、折り畳み操作、収縮操作、押下操作のうちの少なくとも１つを含む第１の操作を検出することのうちの少なくとも１つを含む。
好ましくは、電動スクーターに対して実行される第２の目標操作を検出することは、電動スクーターに対して実行される第１の入力操作であって、目標アカウントを使用して一時的ロック状態にある電動スクーターをロック解除することを示す第１の入力操作を、ターゲット時間内に検出することを含む。
【０００６】
好ましくは、電動スクーターに対して実行される第２の目標操作を検出することは、電動スクーターのハンドルに対して実行される、展開操作、引っ張り操作、持ち上げ操作のうちの少なくとも１つを含む第２の操作を検出することをさらに含む。
好ましくは、電動スクーターを一時的ロック状態に設定した後は、電動スクーターが一時的ロック状態にある場合に、目標アカウントに関連する第１のリソースアカウントにおける移転対象のリソースであって、電動スクーターに関連する第２のリソースアカウントに移転されるべきリソースである移転対象のリソースを指示する第１のリソース移転情報を決定する。
【０００７】
好ましくは、第１のリソース移転情報を決定することは、第１のリソース移転情報を、移転対象のリソースが現在時刻と、電動スクーターを一時的ロック状態に設定する時刻である第１の時刻との間の第１の時間間隔である第１の時間長さに正相関する第１のリソースであることを指示する第１の目標情報として決定することを含む。
好ましくは、電動スクーターを一時的ロック状態に設定した後は、電動スクーターが一時的ロック状態にあることを提示する提示情報を電動スクーターにより送信し、電動スクーターに対して実行される第２の目標操作を目標時間長さ内に検出した場合に、第２の目標操作を検出した時に電動スクーターによる提示情報の送信を停止させ、或いは、電動スクーターに対して実行される第２の目標操作を目標時間長さ内に検出しない場合、目標時間長さに到達する時に電動スクーターによる提示情報の送信を停止させる。
【０００８】
好ましくは、電動スクーターを一時的ロック状態に設定した後、電動スクーターに対して実行される第２の目標操作を目標時間長さ内に検出しない場合、目標アカウントによる電動スクーターの使用を終了する。
好ましくは、目標アカウントによる電動スクーターの使用を終了した後、目標アカウントに関連する第１のリソースアカウントにおける、目標時間長さに対応する第２のリソースを含む第１の目標リソースを電動スクーターに関連する第２のリソースアカウントに移転する。
【０００９】
好ましくは、一時的ロック状態にある電動スクーターをロック解除した後は、電動スクーターに対して実行される、目標アカウントが電動スクーターの使用を終了することを示す第３の目標操作を検出する。
好ましくは、電動スクーターに対して実行される第３の目標操作を検出することは、電動スクーターのハンドルバーに対して実行される、折り畳み操作、収縮操作のうちの少なくとも１つを含む第３の操作を検出することを含む。
【００１０】
好ましくは、電動スクーターに対して実行される第３の目標操作を検出した後は、目標アカウントに関連する第１のリソースアカウントにおける、目標アカウントを使用して電動スクーターをロック解除する時刻である第２の時刻と、電動スクーターに対して実行される第３の目標操作を検出する時刻である第３の時刻との間の第２の時間間隔内に電動スクーターが一時的ロック状態にある総時間長さである第２の時間長さに正相関する第３のリソースを含む第２の目標リソースを、電動スクーターに関連する第２のリソースアカウントに移転する。
【００１１】
好ましくは、電動スクーターに対して実行される第３の目標操作を検出した後は、第３の目標操作を検出してから所定時間長さ内に、電動スクーターが倒れた状態にあることを検出し、目標アカウントに関連する第１のリソースアカウントにおける、検出された倒れた状態に対応する第４のリソースを含む第３の目標リソースを電動スクーターに関連する第２のリソースアカウントに移転する。
好ましくは、電動スクーターのハンドルに対して実行される第１の目標操作を検出する前には、電動スクーターに対して実行される第２の入力操作であって、目標アカウントを使用して電動スクーターをロック解除することを示す、ターゲットアカウントに対応するターゲット生体特徴情報の第２の入力操作を検出し、また、第２の入力操作に応答して、目標アカウントを使用して電動スクーターをロック解除する。
【００１２】
本発明の別の実施例に係る電動スクーターは、目標アカウントを使用して電動スクーターをロック解除する場合に、電動スクーターに対して実行される第１の目標操作を検出する第１の検出モジュールと、第１の目標操作に応答して、電動スクーターを、第１の目標操作を検出してから目標時間長さ内に目標アカウントにしかロック解除されることを許さない一時的ロック状態に設定する設定モジュールと、電動スクーターに対して実行される、目標アカウントを使用して電動スクーターをロック解除するように指示する第２の目標操作を目標時間長さ内に検出した場合、一時的ロック状態にある電動スクーターをロック解除するロック解除モジュールとを含む。
【００１３】
好ましくは、第１の検出モジュールは、電動スクーターを一時的ロック状態に設定することをトリガする電動スクーターにおける一時停止ボタンに対して実行される押し操作を検出する第１の検出ユニットと、電動スクーターのハンドルに対して実行される、折り畳み操作、収縮操作、押下操作のうちの少なくとも１つを含む第１の操作を検出する第２の検出ユニットと、のうちの少なくとも１つを含む。
好ましくは、電動スクーターは、電動スクーターに対して実行される第１の入力操作であって、目標アカウントを使用して一時的ロック状態にある電動スクーターをロック解除することを示す第１の入力操作を、ターゲット時間内に検出する第２の検出モジュールを含む。
【００１４】
好ましくは、電動スクーターは、電動スクーターのハンドルに対して実行される、展開操作、引っ張り操作、持ち上げ操作のうちの少なくとも１つを含む第２の操作を検出する第３の検出モジュールをさらに含む。
好ましくは、電動スクーターは、一時的ロック状態にある電動スクーターをロック解除した後は、電動スクーターのハンドルバーに対して実行される、目標アカウントが電動スクーターの使用を終了することを示す、折り畳み操作、収縮操作のうちの少なくとも１つを含む第３の操作を検出する第４の検出モジュールをさらに含む。
【００１５】
本発明のさらに別の実施例によれば、実行時に上記いずれか１つの電動スクーターの制御方法を実行するように構成されるコンピュータプログラムが記憶されている記憶媒体をさらに提供する。
本発明のさらに他の実施例によれば、コンピュータプログラムが記憶されているメモリと、前記コンピュータプログラムを実行することにより上記方法実施例におけるステップを実行するように構成されるプロセッサと、を含む電子装置をさらに提供する。
【００１６】
本発明によれば、目標アカウントにより電動スクーターを使用する過程において、電動スクーターに対して実行される第１の目標操作を検出した時に、電動スクーターを一時的ロック状態に設定することにより、目標時間長さ内に目標アカウントを使用してしかロック解除することを許さないが、目標アカウント以外の他のアカウントを使用して電動スクーターをロック解除できず、目標時間長さ内の該電動スクーターの使用安全性を保証し、従って、関連技術における電動スクーターの制御方法に存在する、電動スクーターが一時的に使用停止する場合に他人に使用されやすいという問題を解決し、電動スクーターの使用安全性を向上させ、ユーザ体験を向上させる技術的効果を達成できる。
【図面の簡単な説明】
【００１７】
ここで説明する図面は、本発明を一層理解させるためのものであり、本出願の一部を構成し、本発明の例示的な実施例及びその説明は、本発明を解釈するものであり、本発明を限定するものではない。図面において、
【図１】本発明の実施例に係る電動スクーターの制御方法のフローチャートである。
【図２】本発明の好ましい実施例に係る電動スクーターの概略図である。
【図３】本発明の実施例に係る電動スクーターの構成ブロック図である。
【発明を実施するための形態】
【００１８】
以下、図面を参照しながら実施例を組み合わせて本発明を詳細に説明する。なお、本出願における実施例及び実施例における特徴は、矛盾しない限り、互いに組み合わせることができる。
なお、本発明の明細書、特許請求の範囲及び上記図面に用いられた「第１」、「第２」等の用語は、類似する対象を区別するためのもので、特定の順序又は前後順を限定するものではない。
【００１９】
（実施例１）
本出願の実施例は、電動スクーターの制御方法を提供し、図１は、本発明の実施例に係る電動スクーターの制御方法のフローチャートであり、図１に示すように、該フローは、
目標アカウントを使用して電動スクーターをロック解除する場合に、電動スクーターに対して実行される第１の目標操作を検出するステップＳ１０２と、
第１の目標操作に応答して、電動スクーターを、第１の目標操作を検出してから目標時間長さ内に電動スクーターが目標アカウントにしかロック解除されることを許さない一時的ロック状態に設定するステップＳ１０４と、
電動スクーターに対して実行される、目標アカウントを使用して電動スクーターをロック解除するように指示する第２の目標操作を目標時間長さ内に検出した場合、一時的ロック状態にある電動スクーターをロック解除するステップＳ１０６とを含む。
【００２０】
以上のステップにより、目標アカウントを使用して電動スクーターをロック解除する場合に、電動スクーターに対して実行される第１の目標操作を検出し、第１の目標操作に応答して、電動スクーターを、第１の目標操作を検出してから目標時間長さ内に電動スクーターが目標アカウントにしかロック解除されることを許さない一時的ロック状態に設定し、また、電動スクーターに対して実行される第２の目標操作であって、目標アカウントを使用して電動スクーターをロック解除するように指示する第２の目標操作を目標時間長さ内に検出した場合に、一時的ロック状態にある電動スクーターをロック解除して、関連技術における電動スクーターの制御方法に存在する、電動スクーターが一時的に使用停止する場合に他人に使用されやすいという問題を解決し、電動スクーターの使用安全性を向上させ、ユーザ体験を向上させる。
【００２１】
ステップＳ１０２において、目標アカウントを使用して電動スクーターをロック解除する場合に、電動スクーターに対して実行される第１の目標操作を検出する。
本発明の実施例において、まず目標アカウントを使用して電動スクーターをロック解除できる。
電動スクーターをロック解除する制御信号は、該電動スクーターを制御するサーバ（クラウドサーバ）により送信されるものであってもよく、該目標アカウントを使用して該電動スクーターをロック解除するように要求する要求メッセージをサーバが受信した後に送信されるものであってもよい。
【００２２】
好ましくは、要求メッセージは、目標アカウントでログインされる携帯電話ＡＰＰ（アプリケーション、Ａｐｐｌｉｃａｔｉｏｎ）により電動スクーターの車体上のグラフィックコード（例えば、二次元コード）を走査し、かつ走査が完了した後にサーバに送信されるものであってよい。電動スクーターをロック解除した後、ユーザは、該電動スクーターに乗ることができる。乗りが終了した後、ユーザは、携帯電話ＡＰＰにより該スクーターをロックして行程を完了できる。
【００２３】
上記過程において、走査しスクーターをロックするという過程は、大きな時間を浪費する。かつ、ユーザによるスクーターの使用において、携帯電話への依存性が非常に高く、携帯電話の電池が切れるか、又は信号がない場合にいずれもスクーターを正常に使用できず、ユーザ体験を低下させる。同時に、ユーザが乗った後に携帯電話でスクーターをロックすることを忘れるか又は目的地に到達した後に信号又は電気量などの原因で、携帯電話によりスクーターをロックできず、該電動スクーターが他人に乗って行かれると、これは該ユーザに一定量の金銭の損失をもたらす。
【００２４】
携帯電話がグラフィックコードを走査する方式でスクーターをロック解除/ロックするメカニズムによる上記問題を解決するために、本発明の実施例において、スクーターをロック解除/ロックする物理的操作メカニズムを電動スクーターに増設させることにより、電動スクーターの制御の携帯電話への依存を低減し、携帯電話の信号及び電気量面での偶発的な状況による電動スクーターの制御に対する影響を回避する。
本発明の実施例において、生体特徴情報により電動スクーターをロック解除できる。
【００２５】
好ましくは、電動スクーターに対して実行される第１の目標操作を検出する前に、電動スクーターに対して実行される第２の入力操作であって、目標アカウントを使用して電動スクーターをロック解除することを示す、目標アカウントに対応する目標生体特徴情報の第２の入力操作を検出し、 第２の入力操作に応答して、目標アカウントを使用して電動スクーターをロック解除する。
上記目標生体特徴情報は、電動スクーターに対応する目標アプリケーションにおける１つの目標アカウントを一意に識別するためのものである。目標生体特徴情報は、指紋、虹彩、顔のうちの少なくとも１つを含むが、それらに限定されない。
【００２６】
電動スクーターには、生体特徴情報を採取する採取装置（例えば、カメラ、指紋採取装置）が設置されてよく、上記採取装置がハンドル（左ハンドル、右ハンドル、ハンドル中間）、ハンドルバーなどの電動スクーターの任意の位置に設置されてよい。
例えば、指紋認識モジュールは、シェア電動スクーターのハンドル又は車体に増設され、ユーザのアイデンティティを識別してスクーターをロック解除することにより、ユーザは、毎回使用前に携帯電話ａｐｐを開いて車体の二次元コードを走査する必要がない。
【００２７】
ユーザは、１回目にシェア電動スクーターを使用する場合、目標アプリケーションをダウンロードし、登録しかつ目標アカウントで目標アプリケーションにログインし、次に提示に基づいて目標生体特徴情報を入力し（携帯電話端末で入力し、選択可能なステップとして提示される）、かつ入力された目標生体特徴情報をサーバにアップロードする。
例えば、シェア電動スクーターは、自体にマッチングするＡＰＰ（目標アプリケーション）を有し、１回目の使用時に指紋を登録する必要があり、クラウドサーバは指紋情報を記録する。
【００２８】
入力された目標生体特徴情報をサーバにアップロードした後、サーバは、目標生体特徴情報と目標アカウントとの間の対応関係を保存する。その後にユーザが電動スクーターを使用する時に携帯電話を開く必要がなく、電動スクーターを発見した後、電動スクーターに対して目標生体特徴情報の第２の入力操作を実行する。第２の入力操作を検出した後、電動スクーターは、第２の入力操作に応答し、目標アカウントを使用して電動スクーターをロック解除する。
【００２９】
電動スクーターは、目標生体特徴情報をサーバへ送信し、サーバによりアカウントマッチングを行い、目標生体特徴情報にマッチングする（対応する）目標アカウントを検索した後、目標アカウントを使用して電動スクーターをロック解除することを決定し、また、電動スクーターにロック解除操作を行うことを指示するよう、電動スクーターへロック解除のための制御信号を送信する、という方式で目標アカウントを使用して電動スクーターをロック解除できる。電動スクーターは、該制御信号を受信した後、ロック解除操作を実行する。
【００３０】
外部から見えるハンドル、ハンドルバー、車体、車輪（個数は必要に応じて設定でき、少なくとも２つあってよい）、及び各接続部材以外に、電動スクーターには、モータ、モータ駆動装置、電池、及び後輪の機械的ロックが内蔵される。電動スクーターは、電子ロックをさらに有してよい。
電動スクーターは、制御情報を受信した後、電子ロックを解除するとともに、機械的ロックを開く様に制御し、電動スクーターのロック解除を完了する。
【００３１】
ステップＳ１０４において、目標アカウントを使用して電動スクーターをロック解除する場合に、電動スクーターに対して実行される第１の目標操作を検出する。該第１の目標操作は、電動スクーターを一時的ロック状態に設定することをトリガしてよい。
電動スクーターが一時的に駐車する時に他人に使用されることを回避するために、電動スクーターを、目標時間長さ（例えば、５ｍｉｎ）内に電動スクーターが目標アカウントにしかロック解除されることを許さない一時的ロック状態に設定することができ、一時的ロック状態にある電動スクーターは、目標アカウントにしかロック解除されることを許さない。
【００３２】
電動スクーターの携帯電話への依存を低減するために、電動スクーターに、電動スクーターを一時的ロック状態に設定することをトリガする一時停止ボタンが設置されてよい。電動スクーターは、一部の部材の形態が可変である設計を採用することができる。ハンドルは、折り畳み可能な形式であってもよく、伸縮可能な形式であってもよく、伸縮可能な形式で伸縮トリガスイッチが内蔵され、ハンドルバーは、伸縮可能な形式であってもよく、折り畳み可能な形式であってもよく、折り畳み可能な形式は、２段式の折り畳み又は３段式の折り畳みに分けられる。折り畳み伸縮モジュールは、ポテンショメータ、リミットスイッチ、ホールセンサなどの折り畳み伸縮状態を検出するセンサを備えるものであってよい。
【００３３】
第１の目標操作は、一時停止ボタンに対する押し操作、及び電動スクーターのハンドルに対して実行される第１の操作という指示のうちの１つを含むことができ、第１の操作は、（ハンドルの両端がハンドルバーに向かって折り畳まれる）折り畳み操作、（ハンドルの両端がハンドルの中間に向かって収縮する）収縮操作、押下操作のうちの少なくとも１つを含むが、それらに限定されない。
一時停止ボタンに対して押し操作を実行するか又はハンドルに対して第１の操作を実行することにより、電動スクーターが直接的に一時的ロック状態に入るように制御してもよく、一時停止ボタンに対する押し操作及びハンドルに対して実行される第１の操作を順に実行することにより、電動スクーターが直接的に一時的ロック状態に入るように制御してもよい。
【００３４】
例えば、まず、一時停止ボタンを押し、その後、ハンドルをハンドルバーに向かって所定の位置までに折り畳むか、又は、まず、ハンドルをハンドルバーに向かって所定の位置までに折り畳み、その後、一時停止ボタンを押す。
ステップＳ１０４において、第１の目標操作に応答して、電動スクーターを、第１の目標操作を検出してから目標時間長さ内に目標アカウントにしかロック解除されることを許さない一時的ロック状態に設定する。
【００３５】
電動スクーターが一時的ロック状態にある時、電動スクーターの電子ロックがロックされ（機械的ロックがロックされなくてよい）、この時に他人が該電動スクーターに乗ることができず、さらに該電動スクーターをロックできない。
好ましくは、電動スクーターを一時的ロック状態に設定した後、電動スクーターが一時的ロック状態にあることを提示する提示情報を電動スクーターにより送信し、電動スクーターに対して実行される第２の目標操作を目標時間長さ内に検出した場合に、第２の目標操作を検出した時に電動スクーターによる提示情報の送信を停止させ、又は、電動スクーターに対して実行される第２の目標操作を目標時間長さ内に検出しない場合に、目標時間長さに到達する時に電動スクーターによる提示情報の送信を停止させる。
【００３６】
電動スクーターが一時的ロック状態にある時、電動スクーターは、提示情報を送信することにより、電動スクーターが一時的ロック状態にあることを提示できる。目標時間長さ内に第２の目標操作を検出した場合に、又は、目標時間長さに到達する時に第２の目標操作を検出しない場合に、電動スクーターは、いずれも提示情報の送信を停止させる(第２の目標操作を検出した場合に提示情報の送信を停止させるか、又は目標時間長さに到達する場合に提示情報の送信を停止させる)。上記提示情報は、指示ランプの方式により送信されてよい（例えば、指示ランプが点灯し、指示ランプが点滅するなど）。
【００３７】
好ましくは、一時的ロック状態にある電動スクーターと正常に使用される電動スクーターに対して異なる課金方式を採用できる。
スクーターを返却する時にアカウント残高が不足することを回避するために、リアルタイム課金方式により一時的ロック状態にある電動スクーターに対して課金を行うことができる（リソース移転情報を計算する）。
好ましくは、電動スクーターを一時的ロック状態に設定した後、電動スクーターが一時的ロック状態にある場合に、目標アカウントに関連する第１のリソースアカウントにおける移転対象のリソースであって、電動スクーターに関連する第２のリソースアカウントに移転されるべきリソースである移転対象のリソースを指示する第１のリソース移転情報を決定する。
【００３８】
第１のリソース移転情報は、一時的ロック状態にある回数（毎回移転する必要があるリソースが同じである）に関連するものであってもよく（回数に応じて課金する）、一時的ロック状態にある時間長さに関連するものであってもよい（時間長さに応じて課金する）。
好ましくは、第１のリソース移転情報を決定することは、第１のリソース移転情報を、移転対象のリソースが現在時刻と、電動スクーターを一時的ロック状態に設定する時刻である第１の時刻との間の第１の時間間隔である第１の時間長さに正相関する第１のリソースであることを指示する第１の目標情報として決定することを含む。
【００３９】
好ましくは、電動スクーターに対して実行される第２の目標操作を目標時間長さ内に検出しない場合に、目標アカウントによる電動スクーターの使用を終了した後、目標アカウントに関連する第１のリソースアカウントにおける、目標時間長さに対応する第２のリソースを含む第１の目標リソースを、電動スクーターに関連する第２のリソースアカウントに移転できる。
ステップＳ１０６において、電動スクーターに対して実行される、目標アカウントを使用して電動スクーターをロック解除するように指示する第２の目標操作を目標時間長さ内に検出した場合に、一時的ロック状態にある電動スクーターをロック解除する。
【００４０】
ユーザがスクーターリソース（電動スクーターリソース）を使用する有効性及びスクーターリソースの合理的な利用を保証するために、一時的ロック状態の期限（目標時間長さ）を限定できる。一時的ロック状態にある電動スクーターをロック解除することをトリガする、電動スクーターに対して実行される第２の目標操作を該期限により制限された時間内に検出した場合に、一時的ロック状態にある電動スクーターをロック解除する。電動スクーターに対して実行される第２の目標操作を目標時間長さ内に検出しない場合に、目標アカウントによる電動スクーターの使用を終了できる。
【００４１】
第２の目標操作は、複数種を含むことができる。例えば、第２の目標操作は、目標アカウントに対応する第１の入力操作であってもよい。第１の入力操作は、目標生体特徴情報の入力操作であってよい。第１の入力操作を検出した後、ロック解除操作を直接的に実行する。この時、電動スクーターのハンドルが折り畳み状態、収縮状態又は押下状態にあると、ハンドルの復帰を自動的に制御してもよく、ユーザにより手動で復帰させてもよい。また、例えば、第２の目標操作は、目標アカウントに対応する第１の入力操作及び電動スクーターのハンドルに対して実行される第２の操作であってもよい。第１の入力操作を検出した後、電動スクーターのハンドルは、操作可能な状態にあり、電動スクーターのハンドルを復帰させばこそ、ロック解除操作を実行できる。
【００４２】
第２の目標操作を検出することは、電動スクーターにより実行され、電動スクーターのロック解除を制御することは、サーバにより実行されてもよく、電動スクーターによって実行されてもよい（電動スクーターに目標アカウントに対応する目標生体特徴情報が保存される）。
好ましくは、一時的ロック状態にある電動スクーターをロック解除した後、電動スクーターに対して実行される、目標アカウントが電動スクーターの使用を終了することを示す第３の目標操作を検出する。
【００４３】
一時的ロック状態にある電動スクーターをロック解除した後、ユーザは、電動スクーターに対して第３の目標操作を実行する方式によりスクーターを返却して、電動スクーターの使用を終了できる。
迅速なスクーターの返却を容易にし、かつ電動スクーターの倒れるリスクを減少させるために、電動スクーターに対して実行される第３の目標操作を検出することは、電動スクーターのハンドルバーに対して実行される、折り畳み操作、収縮操作のうちの少なくとも１つを含む第３の操作を検出することを含む。ハンドルバーに対して折り畳み、収縮のうちの少なくとも１つを実行することにより、電動スクーターの重心を低下させ、ユーザ体験を向上させる。
【００４４】
好ましくは、電動スクーターに対して実行される第３の目標操作を検出した後、ユーザによる該電動スクーターの使用に対して課金できる。目標アカウントに関連する第１のリソースアカウントにおける、目標アカウントを使用して電動スクーターをロック解除する時刻である第２の時刻と、電動スクーターに対して実行される第３の目標操作を検出する時刻である第３の時刻との間の第２の時間間隔内に電動スクーターが一時的ロック状態にある総時間長さである第２の時間長さに正相関する第３のリソースを含む第２の目標リソースを、電動スクーターに関連する第２のリソースアカウントに移転する。
【００４５】
スクーターを返却する時の人為的要因により電動スクーターが倒れ、さらに電動スクーターの破損を引き起こすことを回避するために、第３の目標操作を検出した後、所定時間長さに待ち、所定時間長さ内に電動スクーターが倒れると、追加の料金引き落としを行うことができる。
好ましくは、電動スクーターに対して実行される第３の目標操作を検出した後、第３の目標操作を検出した後の所定時間長さ内に、電動スクーターが倒れた状態にあることを検出し、目標アカウントに関連する第１のリソースアカウントにおける、検出された倒れた状態に対応する第４のリソースを含む第３の目標リソースを、電動スクーターに関連する第２のリソースアカウントに移転する。
【００４６】
上記技術的解決手段に基づいて、目標アカウントにより電動スクーターを使用する過程において、電動スクーターに対して実行される第１の目標操作を検出した時に、電動スクーターを一時的ロック状態に設定することにより、目標時間長さ内に目標アカウントにしかロック解除されることを許さないが、目標アカウント以外の他のアカウントを使用して電動スクーターをロック解除できず、目標時間長さ内の該電動スクーターの使用安全性を保証するため、関連技術における電動スクーターの制御方法に存在する、電動スクーターが一時的に使用停止する場合に他人に使用されやすいという問題を解決し、電動スクーターの使用安全性を向上させ、ユーザ体験を向上させる技術的効果を達成することができる。
【００４７】
以下、好ましい実施例を参照しながら上記電動スクーターの制御方法について説明する。図２は、本発明の好ましい実施例に係る電動スクーターの概略図である。図２に示すように、電動スクーターの左右ハンドルは、折り畳み機能を備え、ハンドルバーは、上下伸縮機能を備え、ハンドルには、折り畳み伸縮識別モジュールが内蔵される。シェア電動スクーターのハンドル又は車体に、ユーザのアイデンティティを識別してスクーターをロック解除する指紋識別モジュールが増設される。
【００４８】
シェア電動スクーターには、モータ、モータ駆動装置、電池、及び後輪の機械的ロックが内蔵され、スクーターのバーが収縮して折り畳まれた後、後輪の機械的ロックと電子ロックは同期してスクーターをロックする。１回目の使用時に該シェア電動スクーターにマッチングするＡＰＰに登録し、かつ指紋を入力する必要があり、クラウドサーバは、指紋情報を記録する。
指紋識別モジュールは、登録された指紋を２回目に識別する場合、スクーターの電子ロックを解除するとともに、中央プロセッサは、命令を送信し、機械的ロックが自動的に開き、ユーザは、スクーターのハンドルバーを適切な高さに引き上げた後にスクーターに乗ることができる。
【００４９】
ハンドルが折り畳ンである又は収縮してあり、ハンドルバーが依然として元の高さを保持して直立していれば、スクーターは、一時的ロック状態に属し、スクーターの電子ロックがロックされておるが、機械的ロックはロックされておらず、従って、ユーザが急に用事があり、短時間内に戻ってスクーターを使用することを容易にする。一時的ロック状態にある時、ハンドルバーは収縮したり折り畳みたりすることができず、スクーター上の指示ランプは一時的停車状態にあることを表示し、この時に他人は該スクーターに乗ることができず、さらに該スクーターをロックできず、ユーザは戻った後に指紋識別モジュールを再び押すだけでスクーターを使用し続けることができる。一時的ロック状態に期限があり、期限を超えてユーザが戻らないと一定の料金を引き落とすと共に、スクーターが一時的にロックされていることを示す指示ランプが消灯し、この時に他人はロック解除して乗る機能を実行できる。
【００５０】
（好ましい実施例１）
ユーザは、１回目にシェア電動スクーターを使用する時にＡＰＰをダウンロードしてアカウントで登録し、かつユーザの指紋を入力する必要があり、その後にユーザはシェア電動スクーターを使用する時に携帯電話を開く必要がなく、スクーターを発見した後、指紋識別モジュールを押し、スクーターの電子ロック及び機械的ロックが解除され、ハンドルバーを一定の高さまで引っ張り、かつハンドルを開いて乗り、スクーターは、自動課金を開始する。乗りが終了した後、ハンドルを折り畳み、かつハンドルバーを収縮し、折り畳み伸縮モジュールがトリガされて、スクーターの電子ロック及び機械的ロックがスクーターをロックし、待機状態に切り替え、かつ課金を停止させて、次の顧客の使用を待つ。
【００５１】
（好ましい実施例２）
顧客は、ある場所までに乗って他の用事を処理するのに数分間逗留して、数分間後にスクーターを使用し続ける必要がある場合に、ハンドルのみを折り畳み、ハンドルバーを収縮しないで済む。この時にシェア電動スクーターが、一時的にロックされている待ちモードにあり、スクーターが一時的ロック状態に属し、スクーターの電子ロックがロックされておるが、機械的ロックはロックされておらず、この時にはハンドルバーを収縮したり折り畳みたりすることができず、スクーター上の指示ランプが一時的ロック状態にあることを表示し、この時に他人は該スクーターに乗ることができず、さらに該スクーターをロックできず、ユーザは戻った後に指紋識別モジュールを再び押してハンドルバーを開くだけでスクーターを使用し続けることができる。一時的ロック状態に期限があり、期限を超えてユーザが戻らないと一定の料金を引き落とすと共に、一時的にスクーターがロックされていることを示す指示ランプが消灯し、この時に他人はロック解除して乗る機能を実行できる。
【００５２】
以上の実施形態の説明から、当業者であれば、上記実施例に係る方法は、ソフトウェアに必要な汎用のハードウェアプラットフォームを結合した方式で実現され、一方、ハードウェアにより実現され、但し、多数の場合は、前者がより好適な実施形態であることを明確に理解できる。このような理解に基づいて、本発明の技術的解決手段の実質又は従来技術に貢献のある部分は、ソフトウェア製品の形態で実現され、該コンピュータソフトウェア製品は記憶媒体（例えば、ＲＯＭ／ＲＡＭ、磁気ディスク、光ディスク）に記憶され、端末機器（携帯電話、コンピュータ、サーバ又はネットワーク機器等であることが可能である。）に本発明の各実施例で説明した方法を実行させる複数の命令を含む。
【００５３】
（実施例２）
本実施例において、上記実施例及び好ましい実施形態を実現するための電動スクーターをさらに提供し、既に説明したものを省略する。以下に使用されるように、用語「モジュール」は、所定の機能のソフトウェア及び/又はハードウェアの組み合わせを実現できる。以下の実施例に説明する装置は、好ましくは、ソフトウェアで実現されるが、ハードウェア、又はソフトウェアとハードウェアとの組み合わせで実現されることも考えられる。
【００５４】
図３は、本発明の実施例に係る電動スクーターの構成ブロック図であり、図３に示すように、該電動スクーターは、
目標アカウントを使用して電動スクーターをロック解除する場合に、電動スクーターに対して実行される第１の目標操作を検出する第１の検出モジュール３２と、
第１の目標操作に応答して、電動スクーターを、第１の目標操作を検出してから目標時間長さ内に目標アカウントにしかロック解除されることを許さない一時的ロック状態に設定する、第１の検出モジュール３２に接続される設定モジュール３４と、
電動スクーターに対して実行される、目標アカウントを使用して電動スクーターをロック解除することを指示する第２の目標操作を目標時間長さ内に検出した場合に、一時的ロック状態にある電動スクーターをロック解除する、設定モジュール３４に接続されるロック解除モジュール３６とを含む。
【００５５】
好ましくは、第１の検出モジュール３２は、
電動スクーターを一時的ロック状態に設定することをトリガする電動スクーターにおける一時停止ボタンに対して実行される押し操作を検出する第１の検出ユニットと、
電動スクーターのハンドルに対して実行される、折り畳み操作、収縮操作、押下操作のうちの少なくとも１つを含む第１の操作を検出する第２の検出ユニットと、のうちの少なくとも１つを含む。
好ましくは、電動スクーターは、電動スクーターに対して実行される、目標アカウントを使用して一時的ロック状態にある電動スクーターをロック解除することを示す第１の入力操作を目標時間長さ内に検出する第２の検出モジュールを含む。
好ましくは、電動スクーターは、電動スクーターのハンドルに対して実行される、展開操作、引っ張り操作、持ち上げ操作のうちの少なくとも１つを含む第２の操作を検出する第３の検出モジュールをさらに含む。
【００５６】
好ましくは、電動スクーターは、一時的ロック状態にある電動スクーターをロック解除した後、電動スクーターのハンドルバーに対して実行される、目標アカウントが電動スクーターの使用を終了することを示す、折り畳み操作、収縮操作のうちの少なくとも１つを含む第３の操作を検出する第４の検出モジュールをさらに含む。
なお、上記各モジュールは、ソフトウェア又はハードウェアにより実現でき、後者であれば、上記モジュールがいずれも同じプロセッサに位置する方式、又は、上記各モジュールが任意組み合わせた形式でそれぞれ異なるプロセッサに位置する方式で実現できるが、これらに限定されない。
【００５７】
（実施例３）
本発明の実施例は、実行時に上記いずれか１つの方法実施例におけるステップを実行するように構成されるコンピュータプログラムが記憶されている記憶媒体をさらに提供する。
好ましくは、本実施例において、上記記憶媒体は、
目標アカウントを使用して電動スクーターをロック解除する場合に、電動スクーターに対して実行される第１の目標操作を検出するステップＳ１と、
第１の目標操作に応答して、電動スクーターを、第１の目標操作を検出してから目標時間長さ内に電動スクーターが目標アカウントにしかロック解除されることを許さない一時的ロック状態に設定するステップＳ２と、
電動スクーターに対して実行される、目標アカウントを使用して電動スクーターをロック解除することを指示する第２の目標操作を目標時間長さ内に検出した場合に、一時的ロック状態にある電動スクーターをロック解除するステップＳ３とを実行するコンピュータプログラムを記憶するように構成されてよい。
【００５８】
好ましくは、本実施例において、上記記憶媒体は、ＵＳＢフラッシュディスク、リードオンリーメモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、モバイルハードディスク、磁気ディスク又は光ディスクなどのプログラムコードを記憶可能な様々な媒体を含むが、これらに限定されない。
本発明の実施例は、コンピュータプログラムが記憶されているメモリと、コンピュータプログラムを実行することにより上記いずれか１つの方法実施例におけるステップを実行するように構成されるプロセッサと、を含む電子装置をさらに提供する。
好ましくは、上記電子装置は、さらに、上記プロセッサに接続される伝送装置及び入出力装置を含んでもよい。
好ましくは、本実施例の具体的な例としては、上記実施例及び好ましい実施例において説明した例を参照でき、本実施例において詳細な説明を省略する。
【００５９】
明らかに、当業者であれば、上記本発明の各モジュール又は各ステップが汎用のコンピュータ装置で実現でき、それらが単一のコンピュータ装置に集積してもよく、複数のコンピュータ装置からなるネットワークに分布してもよく、好ましくは、それらをコンピュータ装置に実行可能なプログラムコードで実現することにより、それらを記憶装置に記憶してコンピュータ装置で実行でき、また、ここでの順序と異なる順序で示されたか又は記載されたステップを実行することも可能であり、あるいは、それらをそれぞれ個別の各集積回路モジュールに製造し、又はそれらのうちの複数のモジュール又はステップを単一の集積回路モジュールに製造して実現することも可能である。このように、本発明は、いかなる特定のハードウェアとソフトウェアの組み合わせに限定されない。
上記は、本発明の好ましい実施例に過ぎず、本発明を限定するものではなく、当業者であれば、本発明に対する様々な変更と変化を行うことができる。本発明の原則内で行われる任意の修正、同等置換、改良などは、いずれも本発明の保護範囲内に含まれるべきである。
【図１】
2020090274.tif 000003
【図２】
2020090274.tif 000004
【図３】
2020090274.tif 000005